【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
文書ファイルから生成される帳票ファイルを管理する情報処理装置であって、
所定のディレクトリに登録された文書ファイルを検知する検知手段と、
前記検知手段で検知された文書ファイルに対応するアプリケーションを用いた当該文書ファイルに対する描画処理によって作成される描画データを取得する描画データ取得手段と、
前記描画データ取得手段で取得された描画データから、表示装置に表示するために用いるイメージとテキスト検索のために用いる検索用マップデータとを含む第１の形式の帳票ファイルを作成する第１の帳票ファイル作成手段と、
検索要求を受け付ける検索要求受付手段と、
前記検索要求受付手段で受け付けた検索要求に従って、前記第１の形式の帳票ファイルに含まれる前記検索用マップデータに対してテキスト検索処理を行う検索手段と
を有することを特徴とする情報処理装置。
【請求項２】
入力された印刷データから第２の形式の帳票ファイルを作成する第２の帳票ファイル作成手段と、
前記第１の形式の帳票ファイルと前記第２の形式の帳票ファイルとを対応付けて管理する管理手段と
を更に有することを特徴とする請求項１に記載の情報処理装置。
【請求項３】
前記検索手段は、前記検索要求受付手段で受け付けた検索要求に従って、前記管理手段で管理される前記第１の形式の帳票ファイル及び前記第２の形式の帳票ファイルに対してテキスト検索処理を行うことを特徴とする請求項２に記載の情報処理装置。
【請求項４】
前記検索用マップデータは、前記描画データに含まれるテキスト出力命令レコードを用いて作成されるものであることを特徴とする請求項１乃至３のいずれか１項に記載の情報処理装置。
【請求項５】
前記検索用マップデータは、前記文書ファイルに含まれる文字列に係る文字列情報を具備していることを特徴とする請求項１乃至４のいずれか１項に記載の情報処理装置。
【請求項６】
前記文字列情報として、前記文字列の座標に係る情報、前記文字列のピッチに係る情報、及び、前記文字列を示す情報を含むことを特徴とする請求項５に記載の情報処理装置。
【請求項７】
前記文字列の座標に係る情報として、前記文書ファイルに含まれる文字列の座標に係る情報が具備されており、
前記検索手段は、当該文書ファイルに含まれる文字列の座標に係る情報に基づいて同一行に含まれる前記文字列を統合化して、前記テキスト検索処理を行うことを特徴とする請求項６に記載の情報処理装置。
【請求項８】
文書ファイルから生成される帳票ファイルを管理する情報処理装置の制御方法であって、
所定のディレクトリに登録された文書ファイルを検知する検知ステップと、
前記検知ステップで検知された文書ファイルに対応するアプリケーションを用いた当該文書ファイルに対する描画処理によって作成される描画データを取得する描画データ取得ステップと、
前記描画データ取得ステップで取得された描画データから、表示装置に表示するために用いるイメージとテキスト検索のために用いる検索用マップデータとを含む第１の形式の帳票ファイルを作成する第１の帳票ファイル作成ステップと、
検索要求を受け付ける検索要求受付ステップと、
前記検索要求受付ステップで受け付けた検索要求に従って、前記第１の形式の帳票ファイルに含まれる前記検索用マップデータに対してテキスト検索処理を行う検索ステップと
を有することを特徴とする情報処理装置の制御方法。
【請求項９】
文書ファイルから生成される帳票ファイルを管理する情報処理装置の制御方法をコンピュータに実行させるためのプログラムであって、
所定のディレクトリに登録された文書ファイルを検知する検知ステップと、
前記検知ステップで検知された文書ファイルに対応するアプリケーションを用いた当該文書ファイルに対する描画処理によって作成される描画データを取得する描画データ取得ステップと、
前記描画データ取得ステップで取得された描画データから、表示装置に表示するために用いるイメージとテキスト検索のために用いる検索用マップデータとを含む第１の形式の帳票ファイルを作成する第１の帳票ファイル作成ステップと、
検索要求を受け付ける検索要求受付ステップと、
前記検索要求受付ステップで受け付けた検索要求に従って、前記第１の形式の帳票ファイルに含まれる前記検索用マップデータに対してテキスト検索処理を行う検索ステップと
をコンピュータに実行させるためのプログラム。
【請求項１０】
請求項９に記載のプログラムを記憶したことを特徴とするコンピュータ読み取り可能な記憶媒体。
【手続補正２】
【補正対象書類名】明細書
【補正対象項目名】００１１
【補正方法】変更
【補正の内容】
【００１１】
本発明の情報処理装置は、文書ファイルから生成される帳票ファイルを管理する情報処理装置であって、所定のディレクトリに登録された文書ファイルを検知する検知手段と、前記検知手段で検知された文書ファイルに対応するアプリケーションを用いた当該文書ファイルに対する描画処理によって作成される描画データを取得する描画データ取得手段と、前記描画データ取得手段で取得された描画データから、表示装置に表示するために用いるイメージとテキスト検索のために用いる検索用マップデータとを含む第１の形式の帳票ファイルを作成する第１の帳票ファイル作成手段と、検索要求を受け付ける検索要求受付手段と、前記検索要求受付手段で受け付けた検索要求に従って、前記第１の形式の帳票ファイルに含まれる前記検索用マップデータに対してテキスト検索処理を行う検索手段とを有する。
【手続補正３】
【補正対象書類名】明細書
【補正対象項目名】００１２
【補正方法】変更
【補正の内容】
【００１２】
本発明の情報処理装置の制御方法は、文書ファイルから生成される帳票ファイルを管理する情報処理装置の制御方法であって、所定のディレクトリに登録された文書ファイルを検知する検知ステップと、前記検知ステップで検知された文書ファイルに対応するアプリケーションを用いた当該文書ファイルに対する描画処理によって作成される描画データを取得する描画データ取得ステップと、前記描画データ取得ステップで取得された描画データから、表示装置に表示するために用いるイメージとテキスト検索のために用いる検索用マップデータとを含む第１の形式の帳票ファイルを作成する第１の帳票ファイル作成ステップと、検索要求を受け付ける検索要求受付ステップと、前記検索要求受付ステップで受け付けた検索要求に従って、前記第１の形式の帳票ファイルに含まれる前記検索用マップデータに対してテキスト検索処理を行う検索ステップとを有する。
【手続補正４】
【補正対象書類名】明細書
【補正対象項目名】００１３
【補正方法】変更
【補正の内容】
【００１３】
本発明のプログラムは、文書ファイルから生成される帳票ファイルを管理する情報処理装置の制御方法をコンピュータに実行させるためのプログラムであって、所定のディレクトリに登録された文書ファイルを検知する検知ステップと、前記検知ステップで検知された文書ファイルに対応するアプリケーションを用いた当該文書ファイルに対する描画処理によって作成される描画データを取得する描画データ取得ステップと、前記描画データ取得ステップで取得された描画データから、表示装置に表示するために用いるイメージとテキスト検索のために用いる検索用マップデータとを含む第１の形式の帳票ファイルを作成する第１の帳票ファイル作成ステップと、検索要求を受け付ける検索要求受付ステップと、前記検索要求受付ステップで受け付けた検索要求に従って、前記第１の形式の帳票ファイルに含まれる前記検索用マップデータに対してテキスト検索処理を行う検索ステップとをコンピュータに実行させるためのものである。